(57)【要約】【課題】読書中断時の読書中断頁、及び、読書中断行、又は、読書最終行を示すことができると共に、クリップとして、頁を開いたままで保持することができるクリップしおりを提供する。【解決手段】クリップしおり１は、可撓性の長板が長手方向所定箇所で所定間隙を有するように折曲されて、その折曲部２の一方に表板３が形成され、他方に裏板４が形成されて成り、本に差し込み易いように、表板３は、長手方向長さが裏板４より寸法Ｌの長さ短く形成され、更に、本の頁を挟持するため、折曲部２の弾性により、表板３の先端部３ａと、裏板４とが、互いに押圧する如く付勢されている。そして、表板３には、読書中断時の読書中断行、又は、読書最終行を示すために、表板３の長手方向に延びる長孔５が形成されると共に、表板３の両側部に指がかり６を作るべく、表板３の先端部近傍の裏板４の幅が表板３よりも寸法ｗ×２程狭く形成されている。【選択図】図１
0003155052.tif 000002
【実用新案登録請求の範囲】
【請求項１】
可撓性の長板が長手方向所定箇所で所定間隙を有するように折曲されて、その折曲部の一方に表板が形成され、他方に裏板が形成されて成り、
本に差し込み易いように、前記表板は、長手方向長さが前記裏板より短く形成され、
本の頁を挟めるようにするため、前記折曲部の弾性により、前記表板の先端部と、前記裏板とが、互いに押圧する如く付勢されるクリップしおりであって、
前記表板の両側部に指がかりを作るべく、前記表板の先端部近傍の前記裏板が前記表板よりも幅が狭く形成されていることを特徴とするクリップしおり。
【請求項２】
前記裏板は、両側部が基端部から先端中央方向に向かって斜欠され、先端方向に向かって漸次幅が狭くなるように形成されていることを特徴とする請求項１記載のクリップしおり。
【請求項３】
前記表板には、読書中断行、又は、読書最終行を示すべく、前記表板の長手方向に延びる長孔が形成されていることを特徴とする請求項１又は２記載のクリップしおり。
【請求項４】
前記表板と、前記裏板の端面は、面取りされていることを特徴とする請求項１乃至３のうちいずれか一に記載のクリップしおり。
【請求項５】
前記表板と前記裏板が形成される長板は鏡面仕上げが施されていることを特徴とする請求項１乃至４のうちいずれか一に記載のクリップしおり。
【考案の詳細な説明】
【技術分野】
【０００１】
本考案は、本のしおりとして、読書中断時の読書中断頁、及び、読書中断行、又は、読書中断時の読み終えた最終行である読書最終行を示すことができると共に、クリップとして、頁を開いたままで保持することができるクリップしおりに関するものである。
【背景技術】
【０００２】
従来、本の間に挟んで読書を中断した頁を示すしおりや、複数枚の紙片を挟むクリップは、市場に多く出回っている。
然しながら、一般的なしおりの場合は、本の間に挟んでおくだけのものであるため、本の移動中や、本に挟んだり、本から取り出したりする時、或いは、読書を再開した時、再開した頁から取り出して、一時的に他の頁に差し込んでおいた時等に本から落下してしまう虞があり、又、原則的に、本の綴り目の近くに強く押し込んで挟み込んでおかないと、落下の虞があることから、強く押し込む時、本を傷つける虞があり、更には、本の綴り目の近くに押し込むため、読書を中断した時、読書中断行、又は、読書最終行を示すことはできないという問題もあった。
【０００３】
一方、クリップは、一般的に弾性を有するため、その弾性を発生させる構造が、紙を傷つけ付け易い構造であったり、所定の厚みや、大きさを有することから、クリップを本等に利用することはあまり行なわれてこなかった。
【０００４】
そこで、クリップとしおりの利点を生かすため、クリップとしおりを兼用するクリップしおりが知られているが、まだ、市場には殆ど出回っていない。
クリップしおりは、例えば、特許文献１に記載されており、特許文献１に記載されるクリップしおりは、可撓性のあるベース部材に曲率のある切込みをいれたクリップしおりであり、持ち歩いても、読んでる間でも、本から抜け落ちることがない利点を有するものである。
【先行技術文献】
【特許文献】
【０００５】
【特許文献１】特開平５−３４５４９１号公報
【考案の概要】
【考案が解決しようとする課題】
【０００６】
前述したように、クリップとしおりを兼用するクリップしおりは、まだ、市場には殆ど出回っていない。
特許文献１には、可撓性のあるベース部材に曲率のある切込みをいれることにより、本から抜け落ちることがないクリップしおりが記載されているが、読書中断時の読書中断行、又は、読書最終行を示す機能や、頁を手で押えることなく、頁を開いたままで保持できるクリップ機能を備えたものではない。
【０００７】
以上の現状に鑑み、本考案は、本のしおりとして、読書中断時の読書中断頁、及び、読書中断行、又は、読書最終行を示すことができると共に、クリップとして、頁を開いたままで保持することができるクリップしおりを提供することを目的とする。
【課題を解決するための手段】
【０００８】
上記の課題を解決すべく、本考案は以下の構成を提供する。
請求項１に係る考案は、可撓性の長板が長手方向所定箇所で所定間隙を有するように折曲されて、その折曲部の一方に表板が形成され、他方に裏板が形成されて成り、
本に差し込み易いように、前記表板は、長手方向長さが前記裏板より短く形成され、
本の頁を挟めるようにするため、前記折曲部の弾性により、前記表板の先端部と、前記裏板とが、互いに押圧する如く付勢されるクリップしおりであって、
前記表板の両側部に指がかりを作るべく、前記表板の先端部近傍の前記裏板が前記表板よりも幅が狭く形成されていることを特徴とするクリップしおりを提供するものである。
【０００９】
請求項２に係る考案は、前記裏板は、両側部が基端部から先端中央方向に向かって斜欠され、先端方向に向かって漸次幅が狭くなるように形成されていることを特徴とする請求項１記載のクリップしおりを提供するものである。
【００１０】
請求項３に係る考案は、前記表板には、読書中断行、又は、読書最終行を示すべく、前記表板の長手方向に延びる長孔が形成されていることを特徴とする請求項１又は２記載のクリップしおりを提供するものである。
【００１１】
請求項４に係る考案は、前記表板と、前記裏板の端面は、面取りされていることを特徴とする請求項１乃至３のうちいずれか一に記載のクリップしおりを提供するものである。
【００１２】
請求項５に係る考案は、前記表板と前記裏板が形成される長板は鏡面仕上げが施されていることを特徴とする請求項１乃至４のうちいずれか一に記載のクリップしおりを提供するものである。
【考案の効果】
【００１３】
本考案の請求項１記載の考案によれば、本のしおりとして、読書中断時の読書中断頁、及び、読書中断行、又は、読書最終行を示すことができると共に、クリップとして、頁を手で押えることなく、頁を開いたままで保持することができるクリップしおりを提供することができる。
又、指がかりによって、クリップしおりを容易に開くことができる。
【００１４】
請求項２記載の考案によれば、請求項１記載の考案の効果に加え、指がかりを容易に形成できる。
【００１５】
請求項３記載の考案によれば、請求項１又は２記載の考案の効果に加え、読書中断時の読書中断行、又は、読書最終行を長孔によって示すことができる。又、長孔によって表板と裏板との区別が容易になり、表板で示す読書中断頁を間違う虞がなくなる。
【００１６】
請求項４記載の考案によれば、請求項１乃至３のうちいずれか一に記載の考案の効果に加え、表板と、裏板の端面は面取りされているので、読者の手を傷つけることがなく、又、本を傷つける虞もない。
【００１７】
請求項５記載の考案によれば、請求項１乃至４のうちいずれか一に記載の考案の効果に加え、前記表板と前記裏板が形成される長板は鏡面仕上げが施されているので、摺動時の滑りが良くなり、操作が容易になると共に、紙面を傷つける虞がなくなる。
【図面の簡単な説明】
【００１８】
【図１】（ａ）本考案によるクリップしおりの平面図である。（ｂ）本考案によるクリップしおりの正面図である。
【図２】本考案のクリップしおりを本に差し込んだ状態を示す斜視図である。
【図３】（ａ）本考案のクリップしおりで１頁を挟んだ状態を示す正面図である。（ｂ）本考案のクリップしおりで２頁を挟んだ状態を示す正面図である。（ｃ）本考案のクリップしおりで３頁以上を挟んだ状態を示す正面図である。
【図４】本考案のクリップしおり２本を使って、本の開いた頁を保持した状態を示す斜視図である。
【考案を実施するための形態】
【００１９】
以下、実施例を示した図面を参照しつつ本考案の実施の形態を説明する。
【実施例１】
【００２０】
図１に於いて、１は、本考案によるクリップしおりを示し、クリップしおり１は、可撓性の長板が長手方向所定箇所で所定間隙を有するように所謂Ｒ曲げにより、略１８０度折曲され、その折曲部２の一方に表板３が形成され、他方に裏板４が形成されて成り、更に、裏板４を本に差し込み易いように、又、表板３が頁にピッタリつくように、表板３は、長手方向長さが裏板４より寸法Ｌの長さ短く形成され、又、本の頁を挟持するため、折曲部２の弾性により、表板３の先端部３ａと、裏板４とが、互いに押圧する如く付勢されたものである。
尚、前記所定間隙は、好適には、本の１０頁程度の厚さを挟める間隙である。この程度の間隙が、例えば、新しい本を開いた状態に保持する、所謂、クリップとして使用する場合に好適であり、又、ポケットに差し込む場合も好適である。
又、前記クリップしおり１は、材料として、好適にはステンレスが用いられ、その場合、重さは、例えば、約１０ｇであるが、ステンレスに限定されるものではなく、チタン、金、その他の金属、プラスチック、ファイバー、竹、木等のその他の材料が用いられても良い。
更に、前記クリップしおり１の長さは、例えば、８０ｍｍ、幅は、例えば、１０ｍｍ、前記表板３の長さは、例えば、７０ｍｍ、幅は、例えば、１０ｍｍ、前記裏板４の長さは、例えば、８０ｍｍ、幅は、詳細は後述するが、例えば、基端部が１０ｍｍ、表板３の先端部位置で８ｍｍ、先端部が８ｍｍ以下である。又、前記寸法Ｌは、例えば、１０ｍｍである。
【００２１】
そして、図１（ａ）に示す如く、前記表板３の両側部に指がかり（指が引っ掛かる形状）６を作るべく、前述したように、表板３の先端部位置の裏板４は、表板３よりも幅が狭く形成されている。具体的には、裏板４は、両側部が基端部から先端中央方向に向かって斜欠され、先端方向に向かって漸次幅が狭くなるように形成されている。それにより、表板３の先端部位置に於いて、裏板４は、両側部が表板３より夫々寸法ｗだけ幅方向に狭くなっており、従って、裏板４の幅は、表板３の先端部位置に於いて、表板３より寸法ｗ×２だけ狭くなっている。寸法ｗは、例えば、好適には１ｍｍである。
尚、裏板４は、両側部が基端部から先端中央方向に向かって斜欠されている前述した形状に限定されるものではなく、表板３の先端部位置の裏板４の幅が、表板３より狭く形成されて両端部に指がかりができれば、他の形状に形成されても良い。
【００２２】
更に、前記表板３には、読書中断行、又は、読書中断時の読み終えた最終行である読書最終行を示すべく、表板３の長手方向に延びる長孔５が形成されている。長孔５は、好適には、折曲部２から表板３の先端方向へ２５〜３０ｍｍの位置から表板３の先端方向に向かって表板３の長手方向に延びて開穿され、読書対象の本に表記される文字（この場合、タイトル等の文字ではなく、文章等に最も多く使用されている文字を示す。）の文字幅以上の幅を有するように形成されている。
【００２３】
又、前記表板３と、裏板４の全端面は、読者が怪我をしないように、又、本を傷つけないように面取りされている。
更に、表板３と裏板４とが形成される長板には全面に鏡面仕上げが施されている。鏡面仕上げが施されていることにより、摺動時の滑りが良くなり、クリップしおり１の頁の挟持、又は、取り外し操作が容易になると共に、紙面を傷つける虞がなくなる。尚、鏡面仕上げが施されていてもクリップしおり１は挟んだ頁を面接触により弾圧して確実に抑えるので、頁を挟んだ状態で、自然に滑って脱落することはない。
【００２４】
図２は、前記クリップしおり１を、文字が縦書きで記載された本に使用する場合の使用方法の一例を示しており、読書を中断するために開いている頁を閉じる場合、閉じる前に、読書を中断する頁である読書中断頁７、又は、読書中断頁７を含む数頁をクリップしおり１で挟み、クリップしおり１をしおりとして本８の中に挟み込む。
【００２５】
その場合、表板３の両側部の前述した指がかり６を利用して裏板４と表板３とを互いに開いた状態で、裏板４の先端部４ａを、読書中断頁７の上端７ａ側から、読書中断頁７とその下の頁９の間に挿入し、読書中断頁７の上面上に表板３の先端部３ａを位置させ、裏板４と表板３とを互いに開いた状態のまま、或いは、互いに開いた状態から解放した状態で、クリップしおり１を読書中断頁７の下端７ｂ方向に任意の長さ、又は、折曲部２が読書中断頁７の上端７ａに近づくまで摺動させて停止させ、裏板４と表板３とが互いに開いた状態のままの場合は、開いた状態から解放すると、表板３の先端部３ａと、裏板４とが、折曲部２の弾力によって互いに押圧する方向に付勢され、表板３と、裏板４とによって、読書中断頁７が面接触により挟持される。
【００２６】
この場合、クリップしおり１の長孔５を、読書中断頁７の読み終わった最後の行である読書最終行１０に位置させると、次に読み始める場合（読書再開の場合）に、読書最終行１０をクリップしおり１の長孔５により確認できる。従って、クリップしおり１の長孔５で示された読書最終行１０の次の行である読書再開行１１から読書を再開することが可能になる。
【００２７】
これにより、クリップしおり１は、読書中断頁７にクリップされて、外れることなく確実に保持され、読書中断頁７を示すしおりの役目をすると共に、クリップしおり１の長孔５によって、読書最終行１０を示すことができる。
従って、本の読者は次に読書を再開する時、どの頁のどこの行から読めば良いかすぐにわかり、読書を再開する行を探す必要がなくなる。
【００２８】
尚、前述の説明に於いては、クリップしおり１で読書中断頁７の１頁のみを挟持したが、それに代えて、読書中断頁７と、その下の頁を１乃至複数頁挟持することも可能である。
又、図２に於いては、本の右頁にクリップしおり１を挟んでいるが、読書中断頁７が、本の左頁である場合は、左頁にクリップしおり１を挟むことになる。
更に、前述した如く、クリップしおり１の長孔５を、読書中断頁７の読書最終行１０に位置させることに限定するものではなく、クリップしおり１は、原則的に、読書再開行１１を示すことができれば良いので、例えば、クリップしおり１の左側近傍に読書再開行１１がくるように、クリップしおり１を位置させることも可能である。
即ち、図２に於いては、クリップしおり１の長孔５を読書中断頁７の読書最終行１０に位置させた時に、丁度、クリップしおり１の左側近傍に読書再開行１１がくるが、そのように位置関係がうまくいかない場合は、クリップしおり１の左側近傍に読書再開行１１がくることを優先させても良い。
【００２９】
又、読書中断時に文章の行の途中まで読み終えて行の途中で中断する場合、その読書を中断した行である読書中断行を読書再開行１１として、読書中断行がクリップしおり１の左側近傍にくるように、クリップしおり１を位置させることも可能である。
或いは、前記長孔５に、読書中断行や、読書再開行を位置合わせしても良く、又は、クリップしおり１の左側近傍に、読書最終行や、読書中断行がくるようにクリップしおり１を位置させることも可能である。
前記長孔５に、読書中断行や、読書再開行を位置合わせした場合は、クリップしおり１を外して読書を再開すれば良く、読書中断行や、読書再開行がクリップしおり１の左側近傍にある場合は、クリップしおり１を外すことなく読書を再開できる。
【００３０】
更に、クリップしおり１を読書中断頁７の文字の行に位置合わせすることが面倒な場合は、読書中断頁７の任意の場所にクリップしおり１を位置させても良い。
その場合に於いても、クリップしおり１は、右頁か、左頁かのいずれかの読書中断頁７に保持されるので、従来のしおりのように、読書中断頁７が右頁か、左頁か探す必要がなくなる利点がある。
【００３１】
又、本が横書きである場合は、読書中断頁７の左端又は右端から横書きの文字に沿ってクリップしおり１を挟めば、読書中断行や読書再開行を示すことが可能となる。
読書中断頁７の左端又は右端からクリップしおり１を挟むことに支障がある場合、又は、読書中断行や読書再開行を示すことを左程必要としない場合は、前述の如く、読書中断頁７の上端から任意の位置でクリップしおり１を挟めば、読書中断行や読書再開行を示すことはできなくても、読書中断頁７を示すことが可能である。
又、写真や、絵等を中心とした本で、文字がない場合や、文字が整然と縦書きに記載されていないもの等、読書中断行や読書最終行等の文字の行を示すことができないものについても、読書中断頁７の上端から任意の位置でクリップしおり１を挟めば、少なくとも読書中断頁７を示すことが可能である。
【００３２】
図３（ａ）はクリップしおり１が本の１頁を挟んだ状態を示している。
図３（ｂ）は、クリップしおり１が２頁を挟んだ状態を示している。
図３（ｃ）は、クリップしおり１が３頁以上の複数頁を挟んだ状態を示している。
【００３３】
図３（ａ）〜（ｃ）の何れの方法で本の頁を挟んでも良いが、クリップしおり１が安定して保持されるようにするため、或いは、紙面を傷つけないように挟むためには、数頁を挟んでとめる方法が好適である。
又、クリップしおり１を、後述する如く、クリップとして用いる場合は、３頁以上の複数頁、例えば、１０頁程度を挟んで、開いている頁が閉じないように押える必要がある。
特に、新しい本の場合は、開いた頁がそのままでは閉じやすいため、挟む頁数を多くして開いた頁を保持することが好ましい。
【００３４】
図４は、クリップしおり１をクリップとして用いる場合の具体例を示している。読む頁を開いた状態のままで手を離すと、読者の意に反して、読む頁が閉じたり、他の頁に変わってしまうことも発生し、それを防止するために、手やその他の手段で読む頁を開いた状態に保持する必要が生じる。そこで、例えば、図４に示す如く、２つのクリップしおり１を用いて、クリップしおり１が読書を妨げない位置として、開いた頁の左頁の左上端部及び右頁の右上端部を夫々下層の数頁と共に挟み込むと、開いた頁が開いた状態に保持され、読者の意に反して、読む頁が閉じたり、他の頁に変わってしまうことを防止することができ、又、手やその他の手段で読む頁を開いた状態に保持する必要がなくなる。
尚、クリップしおり１をクリップとして用いる場合のクリップしおり１を挟み込む位置は、前述の位置に限定するものではなく、適宜、選択可能であり、例えば、開いた時、自然に閉じる虞のある頁のみの上下に横からクリップしおり１を差し込んで頁を挟み込んでも良い。
【００３５】
又、前述の説明では、クリップしおり１を本に適用する例を示したが、本考案のクリップしおり１は、本に限定されることなく、ノートや、雑誌、資料、ファイル等のあらゆる冊子類に適用可能である。
【符号の説明】
【００３６】
１  クリップしおり
２  折曲部
３  表板
３ａ  先端部
４  裏板
４ａ  先端部
５  長孔
６  指がかり
８  本
１０  読書最終行
【図１】
0003155052.tif 000003
【図２】
0003155052.tif 000004
【図３】
0003155052.tif 000005
【図４】
0003155052.tif 000006